(57)【要約】      （修正有）【課題】従来と比較して容易に装飾を行うことのできる装飾用絞り器を提供する。【解決手段】装飾用絞り器は、内部に装飾用粘性体Ｃを収容するとともに、端部に開口部３ａ，３ｂを有する粘性体収容部３と、開口部３ａに設けられるとともに、少なくとも１つのノズル口を側周面に有する有底筒状のノズル４と、を有する絞り器本体６と、ノズル４の先端部が出入可能な孔部７３を有する環状のカット部材７と、を備え、カット部材７は、孔部７３に一端側からノズル４の先端部が挿入された際にノズル口が当該孔部７３を通過して他端側で露出されるよう形成されるとともに、ノズル４の先端部が孔部７３から一端側に抜き出される際に、ノズル口からはみ出た装飾用粘性体Ｃに対して孔部７３の内周部で当接することにより、当該装飾用粘性体Ｃを剪断可能に構成されている。【選択図】図２
0003153076.tif 000002
【実用新案登録請求の範囲】
【請求項１】
内部に装飾用粘性体を収容するとともに、端部に開口部を有する粘性体収容部と、前記開口部に設けられるとともに、少なくとも１つのノズル口を側周面に有する有底筒状のノズルと、を有する絞り器本体と、
前記ノズルの先端部が出入可能な孔部を有する環状のカット部材と、を備え、
前記カット部材は、
前記孔部に一端側から前記ノズルの先端部が挿入された際に前記ノズル口が当該孔部を通過して他端側で露出されるよう形成されるとともに、
前記ノズルの先端部が前記孔部から前記一端側に抜き出される際に、前記ノズル口からはみ出た前記装飾用粘性体に対して前記孔部の内周部で当接することにより、当該装飾用粘性体を剪断可能に構成されていることを特徴とする装飾用絞り器。
【請求項２】
請求項１記載の装飾用絞り器において、
装飾対象物を載置するための載置台と、
前記載置台から上方に延びるとともに、前記カット部材の孔部を前記載置台に対向させて支持可能な支持台と、を備えることを特徴とする装飾用絞り器。
【請求項３】
請求項２記載の装飾用絞り器において、
前記カット部材は前記支持台に固定されていることを特徴とする装飾用絞り器。
【請求項４】
請求項１から３の何れか一項に記載の装飾用絞り器において、
前記ノズルは、前記開口部に対して着脱可能に装着されていることを特徴とする装飾用絞り器。
【請求項５】
前記装飾用粘性体は食材であることを特徴とする請求項１から４の何れか一項に記載の装飾用絞り器。
【考案の詳細な説明】
【技術分野】
【０００１】
本考案は、粘土やクリームなどの粘性体を押し出して装飾を行う装飾用絞り器に関する。
【背景技術】
【０００２】
従来、パンケーキに対してクリームで装飾を行ったり、粘土細工に対して粘土で装飾を行ったりする装飾用絞り器が開発されている（例えば、特許文献１参照）。
【０００３】
この装飾用絞り器は、クリームや粘土などの装飾用粘性体を収容する筒状の粘性体収容部と、当該粘性体収容部に装着された筒状のノズルとを備えており、粘性体収容部内の装飾用粘性体をノズルから軸方向に押し出すことによって、装飾を行うようになっている。
【先行技術文献】
【特許文献】
【０００４】
【特許文献１】特公平２−２１４７号公報
【考案の概要】
【考案が解決しようとする課題】
【０００５】
しかしながら、上記のような装飾用絞り器では、ノズルから押し出された装飾用粘性体がノズル内の装飾用粘性体と引っ張り合う結果、装飾対象物に付着させた押出し後の装飾用粘性体がノズルに追従して移動してしまい、所望の装飾を行うのが難しい。
【０００６】
本考案の課題は、従来と比較して容易に装飾を行うことのできる装飾用絞り器を提供することである。
【課題を解決するための手段】
【０００７】
請求項１の考案は、装飾用絞り器において、
内部に装飾用粘性体を収容するとともに、端部に開口部を有する粘性体収容部と、前記開口部に設けられるとともに、少なくとも１つのノズル口を側周面に有する有底筒状のノズルと、を有する絞り器本体と、
前記ノズルの先端部が出入可能な孔部を有する環状のカット部材と、を備え、
前記カット部材は、
前記孔部に一端側から前記ノズルの先端部が挿入された際に前記ノズル口が当該孔部を通過して他端側で露出されるよう形成されるとともに、
前記ノズルの先端部が前記孔部から前記一端側に抜き出される際に、前記ノズル口からはみ出た前記装飾用粘性体に対して前記孔部の内周部で当接することにより、当該装飾用粘性体を剪断可能に構成されていることを特徴とする。
【０００８】
請求項２の考案は、請求項１記載の装飾用絞り器において、
装飾対象物を載置するための載置台と、
前記載置台から上方に延びるとともに、前記カット部材の孔部を前記載置台に対向させて支持可能な支持台と、を備えることを特徴とする。
【０００９】
請求項３の考案は、請求項２記載の装飾用絞り器において、
前記カット部材は前記支持台に固定されていることを特徴とする。
【００１０】
請求項４の考案は、請求項１から３の何れか一項に記載の装飾用絞り器において、
前記ノズルは、前記開口部に対して着脱可能に装着されていることを特徴とする。
【００１１】
請求項５の考案は、請求項１から４の何れか一項に記載の装飾用絞り器において、
前記装飾用粘性体は食材であることを特徴とする。
【考案の効果】
【００１２】
請求項１記載の考案によれば、少なくとも１つのノズル口を側周面に有する有底筒状のノズルを備える絞り器本体と、ノズルの先端部が出入可能な孔部を有する環状のカット部材と、を装飾用絞り器が備え、カット部材は孔部に一端側からノズルの先端部が挿入された際にノズル口が当該孔部を通過して他端側で露出されるよう形成されるとともに、ノズルの先端部が孔部から一端側に抜き出される際に、ノズル口からはみ出た装飾用粘性体に対して孔部の内周部で当接することにより、当該装飾用粘性体を剪断可能に構成されているので、ノズル口から流出した装飾用粘性体を、ノズル口付近で剪断することができる。従って、装飾対象物に付着させた押し出し後の装飾用粘性体がノズルに追従して移動してしまうのを防止することができるため、従来と比較して容易に装飾を行うことができる。
【００１３】
請求項２記載の考案によれば、装飾対象物を載置するための載置台と、当該載置台から上方に延びるとともに、カット部材の孔部を載置台に対向させて支持可能な支持台と、を装飾用絞り器が備えるので、装飾対象物に対して装飾を行う際、ユーザーがカット部材を手で支持する必要がない。従って、カット部材の孔部に一端側からノズルの先端部を挿入して装飾用粘性体を流出させた後、ノズルの先端部を孔部から一端側に抜き出すだけで装飾を行うことができる。従って、より容易に装飾を行うことができる。
【００１４】
請求項３記載の考案によれば、カット部材は支持台に固定されているので、支持台に対してカット部材をセットする手間を省くことができる。従って、いっそう容易に装飾を行うことができる。
【００１５】
請求項４記載の考案によれば、ノズルは開口部に対して着脱可能に装着されているので、複数のノズルを粘性体収容部に対して付け替えることができる。従って、多様な装飾を行うことができる。
【図面の簡単な説明】
【００１６】
【図１】装飾対象物が載置された装飾用絞り器の全体図である。
【図２】装飾用絞り器の概略構成を示す分解斜視図である。
【図３】ノズル斜視図及び分解斜視図である。
【図４】カット部材を上方及び下方から見た斜視図である。
【図５】装飾用絞り器の使用方法を説明するための図である。
【考案を実施するための形態】
【００１７】
以下、本考案の実施形態に係る装飾用絞り器について、図面を参照しながら説明する。
図１に示すように、装飾用絞り器８は、載置台１を備える。載置台１は円盤状に形成されており、上面に装飾対象物Ｓが載置されるようになっている。
【００１８】
ここで、本実施形態では、装飾対象物Ｓはスポンジケーキであり、装飾用粘性体Ｃとしてのクリームによって装飾されるようになっている。但し、これら装飾対象物Ｓと装飾用粘性体Ｃとは、他の食材としてもよい。
【００１９】
載置台１の周縁部からは、上方に支持台２が延びている。支持台２は、円柱状の支持柱２０と、支持柱２０の上部に設けられた円盤状の支持板２３と、を有している。本実施形態において、支持柱２０は、ネジ部２１とナット２２とを備える送りネジ機構によって、支持板２３の高さ調節が可能になっている。なお、支持柱２０は円柱状とは異なる他の柱状でもよく、幅のある壁状に形成されてもよい。また、高さ調節は別の方法で行ってもよい。
【００２０】
図２に示すように、支持板２３は載置台１と対向するよう配設されており、厚み方向に貫通する円形の孔部２４を有している。また、支持板２３の上面における孔部２４の周縁部には、溝２４ａが設けられている。以上の孔部２４には、載置台１とは反対側、つまり上側から絞り器本体６におけるノズル４が挿通されるようになっている。
【００２１】
絞り器本体６は、粘性体収容部３と、ノズル４とを有する。
粘性体収容部３は、内部に装飾用粘性体Ｃを収容する円筒状の部材であり、両端部に開口部３ａ，３ｂを有している。開口部３ａ側の端部外周面には雄ネジが切られ、ノズル４が着脱可能に装着されるようになっている。また、粘性体収容部３には開口部３ｂ側からピストン５が挿通されている。
【００２２】
次に、図３を参照して、ノズル４の説明をする。
図３（ａ）はノズル４の斜視図であり、図３（ｂ）はノズル４の分解斜視図である。
これらの図に示すように、ノズル４は、ノズル本体４１に中仕切り４４が嵌め込まれて形成されている。
【００２３】
図３（ｂ）に示すように、ノズル本体４１は、一端に開口部４２ａを有する円筒状のノズル上部４２と、ノズル上部４２よりも一回り小さい径を有する有底円筒状のノズル下部４３と、を備える。
【００２４】
ノズル上部４２における開口部４２ａの内周面には雌ネジが切られており、粘性体収容部３における開口部３ａの雄ネジに対して、螺合されるようになっている。また、ノズル上部４２における開口部４２ａ近傍の側周面上には、突起部４２ｂが設けられている。突起部４２ｂは、ノズル４が孔部２４に挿通される際、支持板２３の上面に設けられた溝２４ａに嵌め込まれるようになっている。これにより、支持板２３に対するノズル４の移動がガイドされるため、ノズル４を一定の方向で孔部２４に挿通することができる。
【００２５】
ノズル下部４３はノズル上部４２の開口部４２ａとは反対側に設けられており、複数のスリット４３ａを側周面に有する。スリット４３ａは、ノズル下部４３の高さ方向に延在するよう形成されている。
【００２６】
中仕切り４４は、ノズル下部４３と略同じ径を有する環状部４５と、環状部４５の下端から下方へ突出する突出片４５ａ，４５ｂと、を備えており、突出片４５ａ，４５ｂがスリット４３ａに遊嵌，嵌合されるよう、ノズル本体４１に挿通される。
【００２７】
図３（ｂ）に示すように、本実施形態では、突出片４５ａはスリット４３ａよりも小さく形成され、突出片４５ｂはスリット４３ａと略同形に形成されている。従って、図３（ａ）に示すように、突出片４５ａは、スリット４３ａの一部分のみを塞ぎ、塞がれなかった部分はノズル口４６を形成する。一方、突出片４５ｂはスリット４３ａの全面を塞ぐ。
【００２８】
また、上述の図２に示すように、支持板２３の孔部２４には、載置台１側から円筒状のカット部材７が装着されるようになっている。
図４に示すように、カット部材７は、一端に開口部７１を、他端の底板７２に孔部７３を有している。孔部７３は、ノズル４におけるノズル下部４３が出入可能な径を有している。カット部材７は、孔部７３に上方からノズル下部４３が挿入された際に、ノズル下部４３の側周面におけるノズル口４６が孔部７３を通過して、下方で露出されるよう形成されている。
【００２９】
孔部７３の内周縁には、エッジ部７４が形成されている。このエッジ部７４は、底板７２から外方、つまり開口部７１とは反対方向に突出しており、先端がすぼまった形状に形成されている。
【００３０】
以上のカット部材７は、孔部７３が載置台１と対向するよう、支持板２３における孔部２４に装着される。
なお、本実施形態では、装飾用絞り器８を構成する部材はすべてプラスチックで形成されている。
【００３１】
続いて、図５を参照して、装飾用絞り器８の使用方法を説明する。なお、以下の説明においては、人型の装飾対象物Ｓの頭部に装飾用粘性体Ｃで髪の毛を装飾することとして説明を行う。
まず、装飾対象物Ｓを、カット部材７の孔部７３に対向するよう載置台１に載置する。
【００３２】
次に、突起部４２ｂを支持板２３の上面における溝２４ａに嵌め込みつつ、装飾用粘性体Ｃを収容した絞り器本体６のノズル４を、上方から孔部２４に挿通する。これにより、ノズル４におけるノズル下部４３が、カット部材７の孔部７３を通過して下方の装飾対象物Ｓに向かって突出した状態となる。このとき、ノズル下部４３の側周面に形成されたノズル口４６は、カット部材７におけるエッジ部７４の先端部で露出された状態となる。
【００３３】
次に、支持柱２０のナット２２を回転させることにより、ノズル４の先端面と装飾対象物Ｓの頭部との間隔を、例えば２〜３ｃｍ程度に調整する。
【００３４】
次に、図５（ａ）に示すように、ピストン５によって装飾用粘性体Ｃをノズル口４６から外部に流出させて垂らし、装飾対象物Ｓに付着させて所望の装飾を行う。このとき、装飾用粘性体Ｃは、ノズル下部４３の側周面に設けられたスリット４３ａと突出片４５ａとで形成されたノズル口４６のみから流出し、突出片４５ｂで全面を塞がれたスリット４３ａからは流出しないようになっている。これにより、スリット４３ａのいくつかを突出片４５ｂによって全面塞ぐことによって、髪の毛の不要な顔の部分等を避けて装飾用粘性体Ｃを押し出すことができる。
【００３５】
一方、装飾用粘性体Ｃの流出を止めたい時には、図５（ｂ）に示すように、ノズル下部４３をカット部材７の孔部７３から上方に抜き出す。これにより、ノズル口４６がエッジ部７４の先端部で露出されなくなる。このとき、ノズル口４６からはみ出た装飾用粘性体Ｃに対してエッジ部７４が内周部で当接することにより、装飾用粘性体Ｃを剪断する。そして、図５（ｃ）に示すように、剪断された側の装飾用粘性体Ｃの各端部がノズル４の中心軸側に倒れて集まる結果、装飾対象物Ｓにおける頭部の旋毛が形成される。
【００３６】
以上の装飾用絞り器８によれば、少なくとも１つのノズル口４６を側周面に有する有底筒状のノズル４を備える絞り器本体６と、ノズル４の先端部が出入可能な孔部７３を有する環状のカット部材７と、を装飾用絞り器８が備え、カット部材７は孔部７３に一端側からノズル４の先端部が挿入された際にノズル口４６が当該孔部７３を通過して他端側で露出されるよう形成されるとともに、ノズル４の先端部が孔部７３から一端側に抜き出される際に、ノズル口４６からはみ出た装飾用粘性体Ｃに対して孔部７３の内周部で当接することにより、当該装飾用粘性体Ｃを剪断可能に構成されているので、ノズル口４６から流出した装飾用粘性体Ｃを、ノズル口４６付近で剪断することができる。従って、装飾対象物Ｓに付着させた押し出し後の装飾用粘性体Ｃがノズル４に追従して移動してしまうのを防止することができるため、従来と比較して容易に装飾を行うことができる。
【００３７】
また、装飾対象物Ｓを載置するための載置台１と、当該載置台１から上方に延びるとともに、カット部材７の孔部７３を載置台１に対向させて支持可能な支持台２と、を装飾用絞り器８が備えるので、装飾対象物Ｓに対して装飾を行う際、ユーザーがカット部材７を手で支持する必要がない。従って、カット部材７の孔部７３に一端側からノズル４の先端部を挿入して装飾用粘性体Ｃを流出させた後、ノズル４の先端部を孔部７３から一端側に抜き出すだけで装飾を行うことができる。従って、より容易に装飾を行うことができる。
【００３８】
また、ノズル４は開口部３ａに対して着脱可能に装着されているので、複数のノズルを粘性体収容部３に対して付け替えることができる。従って、多様な装飾を行うことができる。
【００３９】
なお、上記の実施形体においては、装飾対象物Ｓはスポンジケーキであり、装飾用粘性体Ｃはクリームであったが、例えば装飾対象物Ｓとしての粘土細工に装飾用粘性体Ｃとしての粘土で装飾を行うなど、その他の装飾に装飾用絞り器８を用いてもよい。
【００４０】
また、装飾対象物Ｓは載置台１に載置されたが、載置台１ではなく、例えば机に直接載置されてもよい。その場合、載置台１は支持台２を支持できるだけの広さと重みがあればよい。
【００４１】
また、支持板２３は円盤状に形成されたが、カット部材７を支持する機能を果たす限りにおいて、他の形状に形成されてもよい。
【００４２】
また、粘性体収容部３は円筒状に形成されたが、例えば絞り袋や柔らかいチューブのようなものなど、他の形状に形成されてもよい。また、粘性体収容部３に収容された装飾用粘性体Ｃをピストン５で押圧することで押し出したが、粘性体収容部３を手で絞るなど、他の方法で装飾用粘性体Ｃを押し出してもよい。
【００４３】
また、ノズル４は円筒状のノズル上部４２と、ノズル上部４２よりも一回り小さい径を有する有底円筒状のノズル下部４３と、を有していたが、ノズル下部４３は、少なくとも１つのノズル口４６を側周面に有する有底筒状である限りにおいて、例えば半球状や円錐状など、底の部分が平面以外の形状に形成されてもよい。また、ノズル４が径の異なるノズル上部４２とノズル下部４３に分かれておらず、側周面にノズル口４６を有する一様な径の有底筒状に形成されていてもよい。
【００４４】
また、ノズル４は粘性体収容部３に対して着脱可能に装着されていたが、ノズル４と粘性体収容部３とが一体に形成されていてもよい。
【００４５】
また、カット部材７は底板７２に孔部７３を有する円筒状であったが、ノズル４の先端部が出入可能な孔部７３を有する環状である限りにおいて、たとえば平板状など、他の形状に形成されてもよい。また、カット部材７は支持台２に着脱可能に装着されたが、支持台２に固定されていてもよい。この場合には、支持台２に対してカット部材７をセットする手間を省くことができるため、いっそう容易に装飾を行うことができる。
【符号の説明】
【００４６】
１      載置台
２      支持台
３      粘性体収容部
３ａ，３ｂ    開口部
４      ノズル
５      ピストン
６      絞り器本体
７      カット部材
８      装飾用絞り器
２０    支持柱
２１    ネジ部
２２    ナット
２３    支持板
２４    孔部
２４ａ  溝
４１    ノズル本体
４２    ノズル上部
４２ａ  開口部
４２ｂ  突起部
４３    ノズル下部
４３ａ  スリット
４５    環状部
４５ａ，４５ｂ  突出片
４６    ノズル口
７１    開口部
７２    底板
７３    孔部
７４    エッジ部
Ｃ      装飾用粘性体
Ｓ      装飾対象物
【図１】
0003153076.tif 000003
【図２】
0003153076.tif 000004
【図３】
0003153076.tif 000005
【図４】
0003153076.tif 000006
【図５】
0003153076.tif 000007